(57)【要約】【課題】  洗濯工程で発生する振動や騒音を低減する。【解決手段】  ドラム式洗濯機は、外箱１内に後下がりに傾斜するように配置された水槽２及び回転槽３を備えている。水槽２の後端面には回転槽３を回転駆動するモータ１６が取付けられており、振動系の重心Ｇが軸方向中心よりも後方に位置するようになっている。回転槽３の周壁部内面のうち軸方向中央部に３個の主バッフル１１を設けると共に前端部に３個の補助バッフル１２を設ける。主バッフル１１は周方向に等間隔に配置されており、前記補助バッフル１２は、隣り合う主バッフル１１の中間部に配置されている。脱水工程時、回転槽３内の洗濯物は主バッフル１１の作用により周壁部内面に全周に亘って均等に配置され、回転槽３内の前部に位置する洗濯物は補助バッフル１２の作用により後方に移動される。【選択図】  図１
2006223452.tif 000002
【特許請求の範囲】
【請求項１】
前面に洗濯物投入口を有する外箱と、
前記外箱内に弾性支持手段を介して配置された水槽と、
前記水槽内に設けられ横軸回りに回転駆動される回転槽と、
前記水槽の後部外面に設けられ前記回転槽を回転駆動する駆動手段と、
前記回転槽の周壁部内面の前部に設けられ前記回転槽の軸方向に沿って延びる前バッフルとを備えることを特徴とするドラム式洗濯機。
【請求項２】
前バッフルは、回転槽の前端板と近接するように設けられ、前記回転槽の軸方向前部から後部に向かって前記回転槽の周壁部に傾斜する傾斜面を有していることを特徴とする請求項１記載のドラム式洗濯機。
【請求項３】
回転槽の周壁部内面のうち軸方向中央付近に設けられ、前記回転槽内の洗濯物を持ち上げるための複数の中央バッフルを備え、
前バッフルは、隣り合う２個の中央バッフルからの距離がほぼ等しくなるように配置されていることを特徴とする請求項１または２記載のドラム式洗濯機。
【請求項４】
回転槽の前端部に設けられたバランサを備え、
前バッフルは前記バランサを利用して前記回転槽に取付けられていることを特徴とする請求項１ないし３のいずれかに記載のドラム式洗濯機。
【請求項５】
前バッフルは回転槽の周方向に等間隔に配置されていることを特徴とする請求項１ないし４のいずれかに記載のドラム式洗濯機。
【発明の詳細な説明】
【技術分野】
【０００１】
本発明は、横軸回りに回転する回転槽を有し、その前面に設けられた開口から前記回転槽に洗濯物を投入する構成のドラム式洗濯機に関する。
【背景技術】
【０００２】
ドラム式洗濯機は、略水平な横軸回りに回転する回転槽及び前記回転槽を収容する水槽を有しており、前記回転槽の周壁部の内面には洗濯物を持ち上げるための複数のバッフルが設けられている。洗い、すすぎ工程では、前記水槽内に水を貯留し前記回転槽内に洗濯物を収容した状態で前記回転槽を回転させることにより、前記洗濯物を持ち上げた後、落下させる。これにより、前記洗濯物はたたき洗いされる。脱水工程では、回転槽を低速で回転させて洗濯物に含まれる水分をある程度取り除いた後、回転槽の回転速度を徐々に最高速度まで上昇させることにより洗濯物を遠心脱水する。
【０００３】
ところが、ドラム式洗濯機では、洗濯物が回転槽内に片寄って投入される等により洗濯運転開始時における洗濯物の配置が片寄っていると、その片寄った状態は洗濯工程が進んでも解消され難いという事情がある。このようなアンバランスが存在すると、脱水工程時に大きな振動が発生する。このため、従来のドラム式洗濯機では、アンバランスに起因する大きな振動や騒音の発生を抑えるために液体バランサを設けたり、アンバランスを修正するために脱水工程初期に回転槽を低速で正逆回転させたりしている。しかし、上記した方法では、洗濯容量が大きい大型のドラム式洗濯機で発生する振動や騒音を十分に抑制できないという問題があった。
【０００４】
これに対して、前上がりに傾斜した回転槽を備えたドラム式洗濯機において、アンバランスに起因する洗浄性能の低下を抑えるために、バッフルに加えて回転槽の後端板に補助バッフルを設ける構成が提案されている。前記回転槽を前上がりに傾斜させると洗濯物が奥部に片寄り易い。上記構成によれば、回転槽内の奥部に片寄って存在する洗濯物を十分に撹拌できるため、洗いムラの発生を抑えることができる。
【特許文献１】特開２００２−３１５９８５
【発明の開示】
【発明が解決しようとする課題】
【０００５】
ところが、上記した補助バッフルは、従来のバッフルでは撹拌できなかった回転槽内の奥部の洗濯物を撹拌することを目的に設けられたものであり、回転槽内に存在するアンバランスを解消することはできない。しかも、上記補助バッフルは回転槽内の前部に存在する洗濯物に対しては全く作用しない。外箱の前面に洗濯物投入口を有する所謂フロントローディング式のドラム式洗濯機では、回転槽を駆動するモータが水槽の後部に取付けられているため、振動系の重心が回転槽の軸方向中心よりも後部に位置する。このため、回転槽内の前部にアンバランスが存在すると、振動の大きな原因となる。
【０００６】
本発明は上記事情に鑑みてなされたものであり、その目的は、洗濯工程で発生する振動や騒音を低減することができるドラム式洗濯機を提供することである。
【課題を解決するための手段】
【０００７】
本発明のドラム式洗濯機は、前面に洗濯物投入口を有する外箱と、前記外箱内に弾性支持手段を介して配置された水槽と、前記水槽内に設けられ横軸回りに回転駆動される回転槽と、前記水槽の後部外面に設けられ前記回転槽を回転駆動する駆動手段と、前記回転槽の周壁部内面の前部に設けられ前記回転槽の軸方向に沿って延びる前バッフルとを備えることを特徴とする。
【発明の効果】
【０００８】
本発明のドラム式洗濯機によれば、洗濯運転時に回転槽が回転されると、回転槽の軸方向前端部に位置する洗濯物が前バッフルの作用により回転槽内を後方に向かって移動する。上記ドラム式洗濯機は、水槽の後部外面に駆動手段が設けられているため、振動系の重心が回転槽の軸方向中心よりも後方に位置する。従って、回転槽内の前部に存在する洗濯物が後方に移動されることにより、重心から離れた部位にアンバランスが発生することが防止される。従って、脱水工程時に大きな振動が発生することを防止できる。
【発明を実施するための最良の形態】
【０００９】
以下、本発明を乾燥機能付きのドラム式洗濯機に適用した第１の実施例について図１ないし図６を参照しながら説明する。
まず、本実施例に係るドラム式洗濯機の全体構成について図１及び図２を参照しながら説明する。ドラム式洗濯機は、外箱１、前記外箱１の内部に配置された円筒状の水槽２、前記水槽２の内部に回転可能に配置された円筒状の回転槽３を備えている。前記外箱１の前面部の中央には扉４によって開閉される洗濯物出入口５が設けられている。前記外箱１の前面部の上部には操作パネル６が設けられており、前記外箱１内であって前記操作パネル６の後部には操作回路ユニット７が配設されている。前記操作パネル６は、洗濯運転に関する各種の設定を行うための設定スイッチ６ａや洗濯運転に関する各種の表示を行うための表示部６ｂを有している。また、前記外箱１内の前部の下部には、制御回路ユニット８が配設されている。
【００１０】
前記水槽２は、その軸中心線が前後方向に延びるように、且つ、後ろ下がりに傾斜した状態で配置されている。また、前記水槽２は、左右一対の弾性支持装置９により支持されている。前記回転槽３は、洗濯槽、脱水槽、乾燥槽として機能するものであり、その軸方向が前記水槽２の軸方向と略一致するように配置されている。前記回転槽３の周壁部の略全体には通水孔及び通風孔として機能する多数の小孔３ａが設けられている。また、前記回転槽３内の前端部にはリング状の液体バランサ１０が取付けられている。
【００１１】
図１及び図４に示すように、前記回転槽３の周壁部の内面には三角柱状の３個の主バッフル１１（中央バッフルに相当）が取付けられている。３個の主バッフル１１はほぼ等間隔に配置されていると共に、回転槽３の前後両端面からほぼ同じ距離だけ離間するように周壁部の軸方向の略中央に配置されている。後述するように、主バッフル１１は回転槽内の洗濯物を持ち上げる機能を有している。また、回転槽３の周壁部内面の前部には例えば３個の補助バッフル１２（前バッフルに相当）が取付けられている。補助バッフル１２は隣り合う主バッフル１１の中間に配置されている。前記補助バッフル１２は、その前端面から軸方向の後方に向かって先細となるほぼ三角錐状を有している。前記補助バッフル１２の前端面は前記バランサ１０の後端面に当接しており、図示しない係合部によって前記バランサ１０に係合されている。また、補助バッフル１２の外周面は回転槽３の周壁部に当接しており、ねじによって周壁部に固定されている。即ち、本実施例では、補助バッフル１２の前端面はバランサ１０を利用して回転槽３に取付けられている。
【００１２】
前記水槽２及び前記回転槽３の前面部には、それぞれ洗濯物を出し入れするための開口部１３，１４が設けられている。前記水槽２の開口部１３は、ベロー１５によって前記洗濯物出入口５に水密に接続されている。尚、前記バランサ１０の内径寸法は、前記開口１４の内径寸法よりも若干小さい寸法に設定されている。
前記水槽２の後面部には、前記回転槽３を回転駆動する回転駆動手段としてのモータ１６が配設されている。前記モータ１６は、アウターロータ形ブラシレスモータから構成されており、ステータ１６ａ及びロータ１６ｂを備えている。前記水槽２の後面部の略中央には、軸受２７ａを有する軸受ハウジング２７が固定されており、その外周部に前記ステータ１６ａが固定されている。前記ロータ１６ｂの回転軸１６ｃは前記軸受２７ａに回転可能に支持されている。前記回転軸１６ｃの前部は前記水槽２の後壁部を貫通して前記水槽２内に延びており、その前端部に前記回転槽３の後面が固定されている。図１中、「Ｏ」で示す一点鎖線は回転軸１６ｃの中心（即ち回転槽３の回転中心軸）を示している。
【００１３】
前記水槽２の下面部には下方に突出する水溜部１７が設けられている。前記水溜部１７の内部には加熱要素１８が配設されている。前記加熱要素１８は例えばシーズ線からなり、前記水槽２内の洗濯液を加熱する機能を有する。前記水溜部１７の後部には排水口１９が設けられており、前記排水口１９には排水弁（図示せず）を介して排水ホース２０が接続されている。
【００１４】
一方、前記水槽２の上部には送風機２１が配設されている。また、前記水槽２の上部のうち前記送風機２１の前部には加熱器２２が配設されている。前記送風機２１は、ケーシング２３の内部に設けられた送風羽根２１ａと、前記ケーシング２３の外部に設けられ前記送風羽根２１ａを回転駆動するモータ２１ｂとから構成されている。前記加熱器２２は、ケース２２ａと、このケース２２ａの内部に設けられた温風生成用の加熱要素２２ｂとから構成されている。前記ケース２２ａの入口部は前記ケーシング２３の出口部に連通されている。前記ケース２２ａの出口部は、ダクト２４を介して水槽２に接続されている。
【００１５】
前記水槽２の後面部のうち前記モータ１６の左部には中空状の熱交換器２５が配設されている。前記水槽２の後端板のうち前記熱交換器２５の下部に対応する部分には水出口を兼用する空気入口（図示せず）が設けられている。また、前記熱交換器２５の上部はダクト２６を介して前記送風機２１のケーシング２３に連通されている。熱交換器２５の内部の上部には注水管（図示せず）が配置されており、前記注水管から注入される水と内部の空気を熱交換して冷却し、除湿する水冷式のものである。
【００１６】
尚、詳しい説明は省略するが、前記外箱１内には水槽２内に給水するための給水装置（図示せず）を備えている。前記給水装置は、注水ケース（図示せず）と前記注水ケース内に引き出し可能に収納される洗剤投入用ケース２７とを備えている。内部に洗剤を入れた状態で前記洗剤投入用ケース２７を前記注水ケース内に収納することにより、水と共に洗剤が水槽２内に供給されるようになっている。
【００１７】
そして、上記ドラム式洗濯機は、構成部品のうち弾性支持装置９に対して荷重をかける水槽２や回転槽３、モータ１６等からなる振動系の重心が回転中心軸Ｏ上であって前記回転槽３の軸方向中心よりもやや後方に位置するように構成されている。尚、図１に振動系の重心を点Ｇで示している。
【００１８】
次に、上記構成の作用について説明する。前記ドラム式洗濯機は、制御回路ユニット８が備える制御用マイコン（図示せず）により運転全般が制御されるようになっている。前記制御用マイコンは、回転槽３内に洗濯物が収容され、運転開始の指示がなされると、設定された運転コースに従って各工程を実行する。例えば、標準的な運転コースの洗濯運転が開始されると、制御用マイコンは洗い工程、すすぎ工程、脱水工程、乾燥工程を順次実行する。
【００１９】
具体的には、洗い工程及びすすぎ工程では、制御用マイコンは給水装置を駆動して水槽２内に所定の水位まで洗濯水を供給した状態でモータ１６を駆動し、回転槽３を正逆方向に低速回転させる。回転槽３が低速で正逆回転されることにより、回転槽３内に収容された洗濯物は、水槽２内の水と共に主バッフル１１により持ち上げられた後、落下するという動作が繰り返され、洗い、すすぎが行われる。この場合、洗濯物が水分を含んでおり重くなっていること、また、回転槽３が後下がりに傾斜していることから、洗濯物の多くは重力の作用によって回転槽３内の後方寄りに位置する。このため、補助バッフル１２の洗濯物に対する作用は小さいが、例えば洗濯物量が多いために回転槽３内の前部に洗濯物が位置する場合には、補助バッフル１２の作用により洗濯物は回転槽３内の後方に向かって移動される。
【００２０】
脱水工程では、制御用マイコンは排水装置（排水弁）を駆動して水槽２内の水を排出した後、モータ１６を駆動して回転槽３を４０ｒｐｍ程度の低速で一方向に回転させる。排水終了時に多量の水分を含み重くなっていた洗濯物は、回転槽３内の下部に位置する。従って、回転槽３が低速で回転されると、洗濯物は主バッフル１１によって持ち上げられた後、落下するという動作を繰り返す。これにより、洗濯物に含まれる水分は、ある程度取り除かれる。
【００２１】
続いて、制御用マイコンはモータ１６を駆動して、回転槽３を６０ないし８０ｒｐｍ程度の回転速度で一方向に回転させる。このとき、回転槽３内の洗濯物は主バッフル１１によって回転槽３内を移動され、周壁部全体に均一に張り付いていく。また、回転槽３内の前部に位置する洗濯物は補助バッフル１２によって回転槽３内を後方に向かって移動される。
【００２２】
ここで、回転槽３内の洗濯物が周壁部全体に均一に張り付いていく過程について図３及び図４に基づき説明する。図３に示すように、回転槽３内の洗濯物Ｓに作用する遠心力Ｆは、回転槽３の回転中心軸Ｏから洗濯物Ｓの重心までの距離をｒ、洗濯物Ｓの質量をｍ、回転角速度をωとすると、次のように定義される。
Ｆ＝ｍ・ｒ・ω2              ・・・（１）
上記式（１）に示すように、遠心力Ｆは距離ｒに比例する。例えば、図３に示すように、回転槽３内に洗濯物Ｓが厚みａをもって存在する場合、外周部に位置する洗濯物Ｓ１と内周部に位置する洗濯物Ｓ２とでは、図３においてｒ１、ｒ２で示すように回転槽３の回転中心Ｏからの距離が異なる（ｒ１＞ｒ２）。従って、洗濯物Ｓ１に作用する遠心力は洗濯物Ｓ２に作用する遠心力よりも大きくなる。このため、主バッフル１１で持ち上げられた洗濯物のうち外周部に位置する洗濯物Ｓ１は落下することなく周壁部に張り付き、内周部に位置する洗濯物Ｓ２は落下することになる。この結果、回転槽３内の洗濯物は徐々に分散され、周壁部全体に均一に張り付いていく。
【００２３】
これに対して、回転槽３の前部に位置する洗濯物は、水分が取り除かれて軽くなっているため、補助バッフル１２によって持ち上げられる。このとき、補助バッフル１２が三角錐状であるため、洗濯物は回転槽３内を後方に向かって移動される。この結果、回転槽３内の洗濯物は後方に寄った状態となる。
このようにして、回転槽３内の洗濯物は次第に周壁部内面の全体に分散され、アンバランスが低減する。また、上記した動作により、回転槽３内の後方に存在する洗濯物量は前方に存在する洗濯物量よりも多くなる。
【００２４】
制御用マイコンは、洗濯物が回転槽３の周壁部に均一に張り付いたと判断すると、モータ１６を駆動して回転槽３の回転速度を約１００ｒｐｍに上昇させる。尚、洗濯物が回転槽３の周壁部に均一に張り付いたか否かの判断は、例えば回転槽３が一回転する間におけるモータ１６の回転速度の変動（即ち回転ムラ）を検出することによって行う。この回転速度（１００ｒｐｍ）は、回転槽３内の全ての洗濯物に加わる遠心力が重力加速度を超える回転速度に設定されている。従って、ここでは、回転槽３内の全ての洗濯物が周壁部に張り付いた状態で回転槽３は回転する。
【００２５】
この後、制御用マイコンは、モータ１６を駆動して回転槽３を９００ないし１２００ｒｐｍの最高速度まで上昇させる。この結果、洗濯物は周壁部の内面に張り付いた状態で回転槽３と共に回転し、遠心脱水される。尚、制御用マイコンは、回転槽３の回転速度を１００ｒｐｍから最高速度まで上昇させる間に現れる複数の共振点で大きな振動が発生した場合は、回転速度を低下させて回転槽３内の洗濯物を移動させ、共振振動の原因となっているアンバランスを修正する動作を実行する。そして、アンバランスを修正した後、再び、最高速度まで回転槽３の回転速度を上昇させるようになっている。
【００２６】
ここで、脱水時に発生する振動について図４を参照して説明する。脱水時に発生する振動の大きさはアンバランスによる力（加振力）によって決まる。加振力の大きさは、洗濯物Ｓに加わる遠心力及び洗濯物Ｓに作用する重心回りの慣性モーメントから決まる。慣性モーメントＭは、振動系の重心を通り前記回転中心軸Ｏと直交する面をＧ１、面Ｇ１から洗濯物Ｓの重心までの距離をＬとすると次のように定義される。
Ｍ＝Ｆ・Ｌ＝ｍ・ｒ・ω2・Ｌ  ・・・（２）
上述したようにＦは洗濯物に作用する遠心力である。上記式（２）に示すように、慣性モーメントＭは距離ｒ及び距離Ｌに比例する。また、上述したように、遠心力Ｆは距離ｒに比例する。本実施例では振動系の重心が回転槽の軸方向中心よりも後方に位置する。従って、回転槽３の後方に存在するアンバランスに起因する振動は、回転槽３内の前方に存在するアンバランスに起因する振動よりも小さくなる。
【００２７】
そして、本実施例では、回転槽３の軸方向中央よりも後方に洗濯物が寄せられるため、振動系の重心付近にアンバランスが多く存在することになる。従って、回転槽３の周壁部の内面全体にアンバランスが発生していた従来のドラム式洗濯機に比べて、脱水工程時に発生する振動を小さくすることができる。
【００２８】
図５及び図６は、主バッフル１１及び補助バッフル１２を有するドラム式洗濯機及び主バッフル１１のみを有するドラム式洗濯機の脱水時において、回転槽３の回転数が定常状態（最高回転数に達してから所定時間が経過したとき）にあるときの水槽２及び外箱１の振動発生量（上下方向の振幅（ｍｍ））をそれぞれ示している。図５及び図６において横軸は布量（洗濯物量）を、縦軸は振幅（ｍｍ）を示している。また、図５及び図６では、補助バッフル１２を有するドラム式洗濯機の振幅を実線Ａ、補助バッフル１２を有さないドラム式洗濯機の振幅を実線Ｂで示すと共に、その測定部位をカッコ内に示している。尚、図５に示す振幅の測定部位は、図１にそれぞれＰ１，Ｐ２で示す部位である。また、図６に示す振幅の測定部位は、図２にそれぞれＱ１，Ｑ２で示す部位である。
【００２９】
図５及び図６から明らかなように、洗濯物量が多いほど振幅が大きくなる傾向があり、特に、外箱１の振幅においてその傾向が顕著である。そして、水槽２の振幅についてみると、洗濯物量が少ない時（１ｋｇ、３ｋｇ）は補助バッフル１２を備えた洗濯機の方が補助バッフル１２を備えていない洗濯機よりも振幅が大きいが、それ以外では、補助バッフル１２を備えた洗濯機の方が補助バッフル１１を備えていない洗濯機よりも振幅が小さい。つまり、洗濯物の容量が多く脱水時に大きな振動が発生するときに、振動の発生量を低減する効果がみられた。また、外箱１の振幅については、全ての洗濯物量において補助バッフル１２を備えた洗濯機の方が補助バッフル１２を備えていない洗濯機よりも振幅が小さくなる。
【００３０】
このように本実施例によれば、回転槽３に補助バッフル１２を設けたことにより、脱水工程時に回転槽３の洗濯物を後方に寄せる、言い換えると振動系の重心付近に移動させることができる。このため、脱水工程時における振動や騒音の発生を抑えることができる。また、前記補助バッフル１２により回転槽３の前部に位置する洗濯物を効率良く後方に向かって移動させることができるため、アンバランス修正のための動作時間を短縮することができる。
【００３１】
また、乾燥工程においては、主バッフル１１と補助バッフル１２の協働により洗濯物が分散及び集中を繰り返しながら回転槽３内を移動される。特に本実施例では、主バッフル１１の中間に補助バッフル１２を設けたため、前記補助バッフル１２はいずれの主バッフル１１からも離間する。従って、主バッフル１１と補助バッフル１２とが効率良く協働して洗濯物を移動させることができる。このため、乾燥効率の向上を図ることができると共に洗濯物の布絡みを低減することができる。尚、発明者らの実験によれば、補助バッフル１２を有するドラム式洗濯機を用いて洗濯運転を行うと、従来のドラム式洗濯機に比べて洗浄率が向上すると共に乾燥終了時に洗濯物に発生するシワの量が少なくなることがわかった。従って、上記構成によれば、洗濯物を良好な状態で仕上げることができるという効果もある。
【００３２】
また、発明者の実験によると、主バッフル１１の中間部に補助バッフル１２を配置する構成の方が、補助バッフル１２を隣り合う主バッフル１１のいずれかに近づけて配置する構成よりも効率良く洗濯物を後方に移動させることができることがわかった。これは、いずれの主バッフル１１からも補助バッフル１２を遠ざけることにより、補助バッフル１２の作用に及ぼす主バッフル１１の影響が小さくなるためだと考えられる。更に、洗い工程やすすぎ工程、乾燥工程では回転槽３は正逆両方向に回転する。従って、いずれの方向に回転槽３が回転する場合でも洗濯物に対する主バッフル１１や補助バッフル１２の作用が等しくなることが望ましい。この点を考慮すると、主バッフル１１を等間隔に配置すると共に前記主バッフル１１の中間部に補助バッフル１２を配置する構成は有効であると考えられる。
【００３３】
図７は本発明の第２の実施例を示すものであり、第１の実施例と異なるところを説明する。尚、第１の実施例と同一部分には同一符号を付している。
本実施例では、補助バッフル１２とバランサ１０とを一体成形している。このような構成により、補助バッフル１２をバランサ１０に取付ける手間を省くことができるため、ドラム式洗濯機の組立工数を削減することができる。
【００３４】
図８は本発明の第３の実施例を示すものであり、第１の実施例と異なるところを説明する。尚、第１の実施例と同一部分には同一符号を付している。
本実施例は、液体バランサ１０を有しない点が第１の実施例と異なる。このような構成においては、補助バッフル１２の前端面は回転槽３の前端面に対してねじにより直接的に固定される。
【００３５】
尚、本発明は上記した実施例に限定されるものではなく、例えば次のような変形が可能である。
上記実施例では、本発明を水槽の後端面に取付けられ回転槽を直接的に回転駆動するモータを備えたドラム式洗濯機に適用した例を説明したが、例えば水槽の後下部や後上部等に固定され、ベルトを介して回転槽を回転駆動するモータを備えたドラム式洗濯機にも適用できる。要は、水槽の外周面のうち後半部分にモータが固定され、振動系の重心が回転槽の軸方向中心よりも後方に位置する構成のドラム式洗濯機に本発明を適用することにより顕著な効果が得られる。
補助バッフルは、回転槽の周壁部或いは端板をプレス成形することにより形成しても良い。上記構成によれば、補助バッフルと回転槽とを一体的に構成することができ、組み立て工程を少なくすることができる。
補助バッフルは、三角錐形状に限らず、例えば半円錐形状でも良い。
本発明は、乾燥機能を備えていないドラム式洗濯機にも適用できる。
【図面の簡単な説明】
【００３６】
【図１】本発明の第１の実施例を示すドラム式洗濯機の縦断側面図
【図２】正面図
【図３】洗濯物にかかる遠心力及び重心回りの慣性モーメントの大きさを説明するための図
【図４】回転槽内の外周部に位置する洗濯物にかかる遠心力と内周部に位置する洗濯物にかかる遠心力の違いを説明するための図
【図５】脱水時に水槽に発生する振動の補助バッフルの有無による違いを示す図
【図６】脱水時に外箱に発生する振動の補助バッフルの有無による違いを示す図
【図７】本発明の第２の実施例を示す図１相当図
【図８】本発明の第３の実施例を示す図１相当図
【符号の説明】
【００３７】
図面中、１は外箱、２は水槽、３は回転槽、５は洗濯物投入口、１０は液体バランサ、１１は主バッフル（中央バッフル）、１２は補助バッフル（前バッフル）、１６はモータ（駆動手段）を示す。
【図１】
2006223452.tif 000003
【図２】
2006223452.tif 000004
【図３】
2006223452.tif 000005
【図４】
2006223452.tif 000006
【図５】
2006223452.tif 000007
【図６】
2006223452.tif 000008
【図７】
2006223452.tif 000009
【図８】
2006223452.tif 000010